(57)【要約】      （修正有）【課題】  芯出し組付け作業を簡単に行うことができ、作業者の負担を軽減できる回転軸直結遠心投射機の組付け方法及びその組付け治具を提供する。【解決手段】  駆動モ−タ３の回転軸３ａに環状部材４及びハブ５を介して回転ホイ−ル６を直結する工程と、前記ハブの軸部を蓋部材７における環状突出部の貫通孔７ｂに遊嵌させた状態にする工程と、内周に縮径された段付部及び拡径された段付部の外形状と同一形状の溝が形成されると共に分割可能に構成された組付け治具の前記溝を前記縮径された段付部及び前記拡径された段付部に嵌合させた状態で前記組付け治具の分割面を締結固定する工程と、該締結固定した状態で前記駆動モ−タ及び蓋部材を各々固定する工程と、該駆動モ−タ及び蓋部材を各々固定した後、前記組付け治具の分割面の締結固定を解除して該組付け治具を取り外す工程と、を有する。【選択図】    図１
2006218552.tif 000002
【特許請求の範囲】
【請求項１】
先端が縮径された段付部にされると共に駆動モ−タの回転軸に嵌装された環状部材と、前記駆動モ−タの回転軸に嵌装されると共に基端面が前記環状部材の先端面に当接するハブと、該ハブの先端面及び前記駆動モ−タの回転軸の先端面に固定された回転ホイ−ルと、前記環状部材側に伸びる環状突出部を有すると共に該環状突出部の先端が拡径された段付部にされた蓋部材と、を具備する回転軸直結遠心投射機の組付け方法であって、前記駆動モ−タの回転軸に前記環状部材及びハブを介して前記回転ホイ−ルを直結する工程と、前記ハブの軸部を前記蓋部材における環状突出部の貫通孔に遊嵌させた状態にする工程と、内周に前記縮径された段付部及び前記拡径された段付部の外形状と同一形状の溝が形成されると共に分割可能に構成された組付け治具の前記溝を前記縮径された段付部及び前記拡径された段付部に嵌合させた状態で前記組付け治具の分割面を締結固定する工程と、該締結固定した状態で前記駆動モ−タ及び蓋部材を各々固定する工程と、該駆動モ−タ及び蓋部材を各々固定した後、前記組付け治具の分割面の締結固定を解除して該組付け治具を取り外す工程と、を有することを特徴とする回転軸直結遠心投射機の組付け方法。
【請求項２】
請求項１記載の回転軸直結遠心投射機の組付け方法に用いる組付け治具であって、内周に前記縮径された段付部及び前記拡径された段付部の外形状と同一形状の溝が形成されると共に分割可能に構成されたことを特徴とする回転軸直結遠心投射機の組付け治具。
【請求項３】
先端が縮径された段付部にされると共に駆動モ−タの回転軸に嵌装された環状部材と、前記駆動モ−タの回転軸に嵌装されると共に基端面が前記環状部材の先端面に当接するハブと、該ハブの先端面及び前記駆動モ−タの回転軸の先端面に固定された回転ホイ−ルと、前記環状部材側に伸びる環状突出部を有すると共に該環状突出部の先端が拡径された段付部にされた蓋部材と、を具備する回転軸直結遠心投射機の組付け治具であって、内周に前記縮径された段付部及び前記拡径された段付部の外形状と同一形状の溝が形成されると共に分割可能に構成されたことを特徴とする回転軸直結遠心投射機の組付け治具。
【発明の詳細な説明】
【技術分野】
【０００１】
本発明は、ショットブラスト装置やショットピーニング装置等に用いられる回転軸直結遠心投射機の組付け方法及びその組付け治具に関する。
【背景技術】
【０００２】
従来、ショットブラスト装置やショットピーニング装置等に用いられる回転軸直結遠心投射機は公知にされている（例えば、特許文献１参照）。
【０００３】
【特許文献１】実用新案登録第２５７５８６１号公報（第１頁、第１図）
【発明の開示】
【発明が解決しようとする課題】
【０００４】
該特許文献１において芯出し組付け作業は、その段落０００７に記載されているように、先ず、ハブの軸部の段付部と分割可能な蓋ブラケットの嵌合筒の端部を一致させて、カバ−本体又は駆動モ−タを固定する。次にハブの軸部と分割可能な蓋ブラケットの嵌合筒との隙間に適当な厚さの隙間ゲ−ジを円周ほぼ３等分の位置に入れて蓋ブラケットを調整して固定する。しかし、この要領では狭い空間で目視による芯出し組付け作業を行わなければならないという問題がある。また該狭い空間で前記隙間ゲ−ジを用いて前記調整をすることは容易ではなく、作業者に過度の負担がかかるという問題がある。
本発明は、上記の問題に鑑みて成されたもので、芯出し組付け作業を簡単に行うことができ、作業者の負担を軽減することができる回転軸直結遠心投射機の組付け方法及びその組付け治具を提供することを目的とする。
【課題を解決するための手段】
【０００５】
上記の目的を達成するために本発明における回転軸直結遠心投射機の組付け方法は、先端が縮径された段付部にされると共に駆動モ−タの回転軸に嵌装された環状部材と、前記駆動モ−タの回転軸に嵌装されると共に基端面が前記環状部材の先端面に当接するハブと、該ハブの先端面及び前記駆動モ−タの回転軸の先端面に固定された回転ホイ−ルと、前記環状部材側に伸びる環状突出部を有すると共に該環状突出部の先端が拡径された段付部にされた蓋部材と、を具備する回転軸直結遠心投射機の組付け方法であって、前記駆動モ−タの回転軸に前記環状部材及びハブを介して前記回転ホイ−ルを直結する工程と、前記ハブの軸部を前記蓋部材における環状突出部の貫通孔に遊嵌させた状態にする工程と、内周に前記縮径された段付部及び前記拡径された段付部の外形状と同一形状の溝が形成されると共に分割可能に構成された組付け治具の前記溝を前記縮径された段付部及び前記拡径された段付部に嵌合させた状態で前記組付け治具の分割面を締結固定する工程と、該締結固定した状態で前記駆動モ−タ及び蓋部材を各々固定する工程と、該駆動モ−タ及び蓋部材を各々固定した後、前記組付け治具の分割面の締結固定を解除して該組付け治具を取り外す工程と、を有することを特徴とする。
【０００６】
また上記の目的を達成するために本発明における回転軸直結遠心投射機の組付け治具は、内周に前記縮径された段付部及び前記拡径された段付部の外形状と同一形状の溝が形成されると共に分割可能に構成されたことを特徴とする。
【０００７】
また本発明における回転軸直結遠心投射機の組付け治具は、先端が縮径された段付部にされると共に駆動モ−タの回転軸に嵌装された環状部材と、前記駆動モ−タの回転軸に嵌装されると共に基端面が前記環状部材の先端面に当接するハブと、該ハブの先端面及び前記駆動モ−タの回転軸の先端面に固定された回転ホイ−ルと、前記環状部材側に伸びる環状突出部を有すると共に該環状突出部の先端が拡径された段付部にされた蓋部材と、を具備する回転軸直結遠心投射機の組付け治具であって、内周に前記縮径された段付部及び前記拡径された段付部の外形状と同一形状の溝が形成されると共に分割可能に構成されたことを特徴とする。
【発明の効果】
【０００８】
本発明は、先端が縮径された段付部にされると共に駆動モ−タの回転軸に嵌装された環状部材と、前記駆動モ−タの回転軸に嵌装されると共に基端面が前記環状部材の先端面に当接するハブと、該ハブの先端面及び前記駆動モ−タの回転軸の先端面に固定された回転ホイ−ルと、前記環状部材側に伸びる環状突出部を有すると共に該環状突出部の先端が拡径された段付部にされた蓋部材と、を具備する回転軸直結遠心投射機の組付け方法であって、前記駆動モ−タの回転軸に前記環状部材及びハブを介して前記回転ホイ−ルを直結する工程と、前記ハブの軸部を前記蓋部材における環状突出部の貫通孔に遊嵌させた状態にする工程と、内周に前記縮径された段付部及び前記拡径された段付部の外形状と同一形状の溝が形成されると共に分割可能に構成された組付け治具の前記溝を前記縮径された段付部及び前記拡径された段付部に嵌合させた状態で前記組付け治具の分割面を締結固定する工程と、該締結固定した状態で前記駆動モ−タ及び蓋部材を各々固定する工程と、該駆動モ−タ及び蓋部材を各々固定した後、前記組付け治具の分割面の締結固定を解除して該組付け治具を取り外す工程と、を有するようにしたから、芯出し組付け作業を簡単に行うことができ、作業者の負担を軽減することができる等種々の効果がある。
【発明を実施するための最良の形態】
【０００９】
以下、本発明の実施の形態を図面に基づいて詳しく説明する。図１又は図２において、ショットブラスト装置（図示せず）のキャビネット１上にはベース台２が固定されており、該ベース台２上には駆動モ−タ３が締結により固定されるようになっている。そして、該駆動モ−タ３の回転軸３ａには、先端が全周に亘って縮径された段付部４ａにされた環状部材４が嵌装されている。
【００１０】
また該駆動モ−タ３の回転軸３ａにはさらに、ハブ５が嵌装されており、該ハブ５の基端面５ａは前記環状部材４の先端面４ｂに当接している。そして、該ハブ５の先端面５ｂ及び前記駆動モ−タ３の回転軸３ａの先端面３ｂには、ディストリビューター６ａを具備する回転ホイ−ル６が固定されている。このようにして前記駆動モ−タ３の回転軸３ａに前記環状部材４及びハブ５を介して前記回転ホイ−ル６が直結されている。
【００１１】
また前記ハブ５の軸部５ｃは、蓋部材７における環状突出部７ａの中央の貫通孔７ｂに遊嵌されている。該蓋部材７は前記環状部材４側に伸びる前記環状突出部７ａを有し、該環状突出部７ａの先端は全周に亘って拡径された段付部７ｃにされている。なお該環状突出部７ａの中央には上述の貫通孔７ｂが穿設されている。また該蓋部材７は中央で垂直方向に二つに分割されている（図３参照）と共にインペラカバー８の一端側面に締結により固定されるようになっている。
【００１２】
また前記インペラカバー８は前記ベース台２上に固定されており、該インペラカバー８の他端側面には、ショット導入筒９を貫通させたカバー部材１０が固定されている。なお図中符号１１はコントロールケージである。このように構成された回転軸直結遠心投射機は、前記駆動モ−タ３が作動すると前記回転ホイ−ル６が回転される。そして、この状態で前記ショット導入筒９よりショット（例えば、鋼球ショット）が供給されると被処理品に該ショットが遠心投射される。
【００１３】
次に、該回転軸直結遠心投射機の組付け方法について説明する。まず、上述のようにして駆動モ−タ３の回転軸３ａに環状部材４及びハブ５を介して回転ホイ−ル６を直結する。そして、駆動モ−タ３をベース台２上に載置して締結する。ここでは、後述する組付け治具１２の分割面を締結固定する際に微動する程度に締結する。次に、回転ホイ−ル６を囲うようにインペラカバー８を組付ける。
【００１４】
次に、蓋部材７をインペラカバー８の前記一端側面に締結し、ハブ５の軸部５ｃを蓋部材７における環状突出部７ａの中央の貫通孔７ｂに遊嵌させた状態にする。なお、この際、該蓋部材７は、後述する組付け治具１２の分割面を締結固定する際に微動する程度に締結する。
【００１５】
次に、組付け治具１２を用いて芯出し組付け作業を行う。ここで、組付け治具１２について、図４に基づき詳述する。該組付け治具１２は図４（ａ）に示すように二つに分割されており、両端をボルト、ナットで締結することにより分割面が締結固定されるようになっている。また図４（ｂ）に示すように内周には、前記環状部材４における縮径された段付部４ａの外形状と同一形状の溝１２ａ、及び、前記蓋部材７の環状突出部７ａにおける拡径された段付部７ｃの外形状と同一形状の溝１２ｂが対向して形成されている。
【００１６】
芯出し組付け作業においては、まず、分割された該組付け治具１２の前記溝１２ａ及び溝１２ｂを前記縮径された段付部４ａ及び前記拡径された段付部７ｃに各々嵌合させる（図５参照）。なお、この際、蓋部材７の分割面と組付け治具１２の分割面は合致しないように位置をずらす。本実施形態では、分割面が垂直方向の蓋部材７に対し、組付け治具１２の分割面は水平方向に位置させる。そして、この状態で前記組付け治具１２の分割面同士が当接するように該分割面をボルト、ナットで締結固定する（図６参照）と、これに伴って蓋部材７又は／及び駆動モ−タ３が微動して位置が矯正される。
【００１７】
そして、該組付け治具１２の締結固定が完了すると、前記蓋部材７における環状突出部７ａの貫通孔７ｂの中心と前記ハブ５の軸部５ｃの中心（即ち、駆動モ−タ３の回転軸３ａの中心）がほぼ同心になり、該貫通孔７ｂ内周とハブ５の軸部５ｃ外周の隙間Ｓ（図５参照）が全周に亘ってほぼ均一な状態、即ち、芯が出た状態になる。なお本実施形態において該隙間Ｓは、０．５ｍｍにされている。また該組付け治具１２の締結固定が完了すると、ハブ５の基端面５ａが前記溝１２ｂにおける端面１２ｃに当接し、且つ、環状部材４の縮径された段付部４ａにおける端面４ｃが前記溝１２ａにおける端面１２ｄに当接するから、蓋部材７に対する駆動モ−タ３の軸線方向の位置についても所望の位置にされた状態、即ち、芯が出た状態にされる。
【００１８】
このように本発明では、分割された該組付け治具１２の前記溝１２ａ及び溝１２ｂを前記縮径された段付部４ａ及び前記拡径された段付部７ｃに各々嵌合させ、この状態で前記組付け治具１２の分割面同士が当接するように該分割面をボルト、ナットで締結固定するだけで芯が出るようになっており、作業者による調整が必要ない。このため、従来に比べ、芯出し組付け作業をとても簡単に行うことができ、作業者の負担を大幅に軽減することができる。
【００１９】
上述のようにして組付け治具１２の締結固定が完了し、芯が出た状態になったら、次に、駆動モ−タ３及び蓋部材７を各々、強固に締結し、位置ずれしないように固定する。そして、該駆動モ−タ３及び蓋部材７を各々固定した後、ボルト、ナットによる組付け治具１２の分割面の締結固定を解除して該組付け治具１２を取り外す。その後、ショット導入筒９、カバー部材１０及びコントロールケージ１１も組付ける。なお組付けた回転軸直結遠心投射機は該組付け治具１２を取り外した状態で作動される。
【図面の簡単な説明】
【００２０】
【図１】本発明の実施形態を示す正面断面図である。
【図２】図１におけるＡ部詳細図である。
【図３】図１におけるＢ−Ｂ矢視図である。
【図４】組付け治具の詳細図であって、（ａ）は側面図、（ｂ）は（ａ）におけるＣ−Ｃ矢視図である。
【図５】図１におけるＡ部詳細図であって、組付け治具を嵌合させた状態（断面）を示す図である。
【図６】図１におけるＢ−Ｂ矢視図であって、組付け治具を嵌合させて分割面を締結固定した状態を示す図である。
【符号の説明】
【００２１】
３  駆動モ−タ
３ａ  回転軸
３ｂ  回転軸の先端面
４  環状部材
４ａ  縮径された段付部
４ｂ  環状部材の先端面
５  ハブ
５ａ  ハブの基端面
５ｂ  ハブの先端面
５ｃ  ハブの軸部
６  回転ホイ−ル
７  蓋部材
７ａ  環状突出部
７ｂ  貫通孔
７ｃ  拡径された段付部
１２  組付け治具
１２ａ  縮径された段付部の外形状と同一形状の溝
１２ｂ  拡径された段付部の外形状と同一形状の溝
【図１】
2006218552.tif 000003
【図２】
2006218552.tif 000004
【図３】
2006218552.tif 000005
【図４】
2006218552.tif 000006
【図５】
2006218552.tif 000007
【図６】
2006218552.tif 000008